(57)【要約】【課題】第１国の硬貨である第１の硬貨および第２国の硬貨である第２の硬貨が同じ価値を持つものとして流通している場合でも、円滑な取引を行うことができる硬貨処理装置、硬貨処理方法および硬貨処理システムを提供する。【解決手段】第１国の硬貨である第１の硬貨および第２国の硬貨である第２の硬貨を処理する硬貨処理装置には、硬貨の識別を行い識別された硬貨の特徴量を検知する識別部４８が設けられている。識別部４８は、検知された硬貨の特徴量が、第１の硬貨の特徴量および第２の硬貨の特徴量を含む特徴量情報と一致するときには識別された硬貨を第１の硬貨とみなすようになっている。【選択図】図５
2013003844.tif 000002
【特許請求の範囲】
【請求項１】
第１国の硬貨である第１の硬貨および第２国の硬貨である第２の硬貨を処理する硬貨処理装置であって、
硬貨の識別を行い識別された硬貨の特徴量を検知する識別部であって、検知された硬貨の特徴量が、第１の硬貨の特徴量および第２の硬貨の特徴量を含む特徴量情報と一致するときには識別された硬貨を第１の硬貨とみなす識別部を備えたことを特徴とする硬貨処理装置。
【請求項２】
第１国の硬貨である第１の硬貨および第２国の硬貨である第２の硬貨を処理する硬貨処理装置であって、
第１の硬貨および第２の硬貨の識別を行う識別部と、
前記識別部による識別結果に基づいて硬貨の計数を行う制御部であって、前記識別部により識別された第１の硬貨および第２の硬貨を、全て第１の硬貨とみなして硬貨の計数を行う制御部と、
を備えたことを特徴とする硬貨処理装置。
【請求項３】
第１国の硬貨である第１の硬貨および第２国の硬貨である第２の硬貨を処理する硬貨処理装置であって、
第１の硬貨および第２の硬貨の識別を行う識別部と、
第１の硬貨の価値および第２の硬貨の価値が等価値となるよう設定を行う設定部と、
前記識別部による識別結果に基づいて硬貨の計数を行う制御部であって、前記設定部による設定内容に基づいて、前記識別部により識別された第１の硬貨および第２の硬貨の合計の価値を、第１国の通貨単位で算出する制御部と、
を備えたことを特徴とする硬貨処理装置。
【請求項４】
第１の硬貨の価値および第２の硬貨の価値を等価値として扱う第１の処理モードと、第１の硬貨と第２の硬貨とを区別して扱う第２の処理モードとからなる２つの処理モードのうちいずれか一方の処理モードで硬貨の処理が行われるよう、２つの処理モードを切り換え可能なモード切換部を更に備えたことを特徴とする請求項１乃至３のいずれか一項に記載の硬貨処理装置。
【請求項５】
硬貨を収納する収納部を更に備え、
前記制御部は、前記硬貨処理装置に硬貨を収納する際に、前記識別部により第１の硬貨と識別された硬貨、および前記識別部により第２の硬貨と識別された硬貨を混合状態で同一の収納部に収納するよう制御を行うことを特徴とする請求項２または３記載の硬貨処理装置。
【請求項６】
金種別に硬貨を収納する複数の収納部を更に備え、
前記制御部は、前記硬貨処理装置に硬貨を収納する際に、前記識別部により第１の硬貨と識別された硬貨と、前記識別部により第２の硬貨と識別された硬貨とを異なる収納部に収納するよう制御を行うことを特徴とする請求項２または３記載の硬貨処理装置。
【請求項７】
第１国の硬貨である第１の硬貨および第２国の硬貨である第２の硬貨を処理する硬貨処理装置であって、
前記硬貨処理装置から第１の硬貨を投出する際に、第２の硬貨を第１の硬貨として投出することを特徴とする硬貨処理装置。
【請求項８】
第１国の硬貨である第１の硬貨および第２国の硬貨である第２の硬貨を処理する硬貨処理方法であって、
硬貨の識別を行い識別された硬貨の特徴量を検知する工程と、
検知された硬貨の特徴量が、第１の硬貨の特徴量および第２の硬貨の特徴量を含む特徴量情報と一致するときには識別された硬貨を第１の硬貨とみなす工程と、
を備えたことを特徴とする硬貨処理方法。
【請求項９】
第１国の硬貨である第１の硬貨および第２国の硬貨である第２の硬貨を処理する硬貨処理方法であって、
第１の硬貨および第２の硬貨の識別を行う工程と、
識別された第１の硬貨および第２の硬貨を、全て第１の硬貨とみなして硬貨の処理を行う工程と、
を備えたことを特徴とする硬貨処理方法。
【請求項１０】
第１国の硬貨である第１の硬貨および第２国の硬貨である第２の硬貨を処理する硬貨処理方法であって、
第１の硬貨の価値および第２の硬貨の価値が等価値となるよう設定を行う工程と、
第１の硬貨および第２の硬貨の識別を行う工程と、
設定された内容に基づいて、識別された第１の硬貨および第２の硬貨の合計の価値を、第１国の通貨単位で算出する工程と、
を備えたことを特徴とする硬貨処理方法。
【請求項１１】
第１国の硬貨である第１の硬貨および第２国の硬貨である第２の硬貨を処理する硬貨処理方法であって、
硬貨処理装置が第２の硬貨を第１の硬貨と等価値の硬貨として処理する工程を備えたことを特徴とする硬貨処理方法。
【請求項１２】
第１国の硬貨である第１の硬貨および第２国の硬貨である第２の硬貨を処理する硬貨処理装置と、
前記硬貨処理装置とは別に設けられ、当該硬貨処理装置に通信接続された上位装置と、
を備えた硬貨処理システムであって、
前記硬貨処理装置は、第１の硬貨および第２の硬貨の識別を行う識別部を有し、前記識別部により得られる第１の硬貨および第２の硬貨の各識別結果を区別して前記上位装置に送るようになっており、
前記上位装置は、第１の硬貨の価値および第２の硬貨の価値を等価値として処理することを特徴とする硬貨処理システム。
【発明の詳細な説明】
【技術分野】
【０００１】
本発明は、複数の国の硬貨を処理する硬貨処理装置、硬貨処理方法および硬貨処理システムに関する。
【背景技術】
【０００２】
従来から、硬貨の入金処理や出金処理等の様々な処理を行う硬貨処理装置として、様々なタイプのものが知られている。具体的には、硬貨の処理を行う硬貨処理装置としては、例えば特許文献１および２等に開示されるものが知られている。特許文献１には、レジスタとともに設置され、買い物客から受け取った硬貨を入金するとともに、釣銭としての硬貨を出金するような硬貨入出金機が開示されており、入金された硬貨は機体内で金種別に分けられて収納されるようになっている。特許文献１に開示される硬貨入出金機では、当該硬貨入出金機が用いられるべき国の硬貨以外の硬貨、すなわち外国の硬貨が入金されると、受け付けられない硬貨としてリジェクトされるようになっている。一方、特許文献２に開示される自動取引装置では、外国の硬貨が入金されると、外国の硬貨として受け付けられるようになっている。
【先行技術文献】
【特許文献】
【０００３】
【特許文献１】特開２００９−７５７４９号公報
【特許文献２】特開２０１１−５９８３５号公報
【発明の概要】
【発明が解決しようとする課題】
【０００４】
ところで、アメリカやカナダにおいては、他国の硬貨が自国の硬貨と同じ価値を持つものとして流通している場合がある。具体的には、アメリカドルの１セント硬貨とカナダドルの１セント硬貨は大きさや色が似ており、また、両者の価値も大きく異ならないため、アメリカ国内でカナダドルの１セント硬貨がアメリカドルの１セント硬貨と等価のものとして受け取られる場合がある。同様に、カナダ国内でアメリカドルの１セント硬貨がカナダドルの１セント硬貨と等価のものとして受け取られる場合がある。また、１０セント硬貨や２５セント硬貨についても、アメリカドルとカナダドルとで大きさや色が似ており、また、両者の価値も大きく異ならないため、他国の硬貨が自国の硬貨と同じ価値を持つものとして流通している場合がある。このような場合、硬貨処理装置において、アメリカドルの硬貨とカナダドルの硬貨とを厳密に区別することは、円滑な取引を妨げることがある。
【０００５】
より詳細に説明すると、アメリカドルの硬貨とカナダドルの硬貨とが混在し、両者が同じ価値を持つものとして流通しているときに、特許文献１に示すような、自国通貨のみに対応した硬貨入出金機を用いると、他国の硬貨を受け付けることができずにリジェクトしてしまうので、円滑な取引を妨げることになってしまう。一方、特許文献２に示すように、２つの国の通貨に対応した硬貨処理装置も存在するが、このような硬貨処理装置では、複数の国の通貨を区別してレート換算する等、２つの国の通貨を区別して金額を算出するため、２つの国の硬貨を同じ価値を持つ硬貨として扱うようにはなっていない。一般的に、特許文献２に開示されるような複数国の通貨に対応した装置では、通貨間の換算レートが設けられており、この換算レートの値は為替レートに応じて変更されるようになっている。このため、実際の取引において自国通貨と同じ価値を持つものとして他国通貨を支払った人に、硬貨処理装置によるレート換算の結果、不足額を請求することになると、円滑な取引を妨げることになってしまう。
【０００６】
本発明は、このような点を考慮してなされたものであり、第１国の硬貨である第１の硬貨および第２国の硬貨である第２の硬貨が同じ価値を持つものとして流通している場合でも、円滑な取引を行うことができる硬貨処理装置、硬貨処理方法および硬貨処理システムを提供することを目的とする。
【課題を解決するための手段】
【０００７】
第１の発明は、第１国の硬貨である第１の硬貨および第２国の硬貨である第２の硬貨を処理する硬貨処理装置であって、
硬貨の識別を行い識別された硬貨の特徴量を検知する識別部であって、検知された硬貨の特徴量が、第１の硬貨の特徴量および第２の硬貨の特徴量を含む特徴量情報と一致するときには識別された硬貨を第１の硬貨とみなす識別部を備えたことを特徴とする硬貨処理装置である。
【０００８】
第２の発明は、第１国の硬貨である第１の硬貨および第２国の硬貨である第２の硬貨を処理する硬貨処理装置であって、
第１の硬貨および第２の硬貨の識別を行う識別部と、
前記識別部による識別結果に基づいて硬貨の計数を行う制御部であって、前記識別部により識別された第１の硬貨および第２の硬貨を、全て第１の硬貨とみなして硬貨の計数を行う制御部と、
を備えたことを特徴とする硬貨処理装置である。
【０００９】
第３の発明は、第１国の硬貨である第１の硬貨および第２国の硬貨である第２の硬貨を処理する硬貨処理装置であって、
第１の硬貨および第２の硬貨の識別を行う識別部と、
第１の硬貨の価値および第２の硬貨の価値が等価値となるよう設定を行う設定部と、
前記識別部による識別結果に基づいて硬貨の計数を行う制御部であって、前記設定部による設定内容に基づいて、前記識別部により識別された第１の硬貨および第２の硬貨の合計の価値を、第１国の通貨単位で算出する制御部と、
を備えたことを特徴とする硬貨処理装置である。
【００１０】
第１〜第３の発明においては、第１の硬貨の価値および第２の硬貨の価値を等価値として扱う第１の処理モードと、第１の硬貨と第２の硬貨とを区別して扱う第２の処理モードとからなる２つの処理モードのうちいずれか一方の処理モードで硬貨の処理が行われるよう、２つの処理モードを切り換え可能なモード切換部を更に備えていてもよい。
【００１１】
第２および第３の発明においては、硬貨処理装置は、硬貨を収納する収納部を更に備え、
前記制御部は、前記硬貨処理装置に硬貨を収納する際に、前記識別部により第１の硬貨と識別された硬貨、および前記識別部により第２の硬貨と識別された硬貨を混合状態で同一の収納部に収納するよう制御を行うようになっていてもよい。
【００１２】
この場合、前記硬貨処理装置から第１の硬貨を投出する際に、前記収納部において混合状態で収納されている第１の硬貨および第２の硬貨を第１の硬貨として投出してもよい。
【００１３】
第２および第３の発明においては、硬貨処理装置は、金種別に硬貨を収納する複数の収納部を更に備え、
前記制御部は、前記硬貨処理装置に硬貨を収納する際に、前記識別部により第１の硬貨と識別された硬貨と、前記識別部により第２の硬貨と識別された硬貨とを異なる収納部に収納するよう制御を行うようになっていてもよい。
【００１４】
この場合、前記硬貨処理装置から第１の硬貨を投出する際に、前記収納部に収納されている第２の硬貨を投出してもよい。
【００１５】
第４の発明は、第１国の硬貨である第１の硬貨および第２国の硬貨である第２の硬貨を処理する硬貨処理装置であって、
硬貨を収納する収納部を備え、
前記硬貨処理装置に硬貨を収納する際に、第１の硬貨の価値および第２の硬貨の価値が等価値となるよう硬貨が受け入れられるようになっており、
前記硬貨処理装置から第１の硬貨を投出する際に、第２の硬貨を少なくとも部分的に収納している前記収納部内の硬貨を第１の硬貨として投出することを特徴とする硬貨処理装置である。
【００１６】
第５の発明は、第１国の硬貨である第１の硬貨および第２国の硬貨である第２の硬貨を処理する硬貨処理装置であって、
第１の硬貨および第２の硬貨を収納する少なくとも１つの収納部を備え、
前記硬貨処理装置から第１の硬貨を投出する際に、第２の硬貨を収納している前記収納部内の硬貨を第１の硬貨として投出することを特徴とする硬貨処理装置である。
【００１７】
第６の発明は、第１国の硬貨である第１の硬貨および第２国の硬貨である第２の硬貨を処理する硬貨処理方法であって、
硬貨の識別を行い識別された硬貨の特徴量を検知する工程と、
検知された硬貨の特徴量が、第１の硬貨の特徴量および第２の硬貨の特徴量を含む特徴量情報と一致するときには識別された硬貨を第１の硬貨とみなす工程と、
を備えたことを特徴とする硬貨処理方法である。
【００１８】
第７の発明は、第１国の硬貨である第１の硬貨および第２国の硬貨である第２の硬貨を処理する硬貨処理方法であって、
第１の硬貨および第２の硬貨の識別を行う工程と、
識別された第１の硬貨および第２の硬貨を、全て第１の硬貨とみなして硬貨の処理を行う工程と、
を備えたことを特徴とする硬貨処理方法である。
【００１９】
第８の発明は、第１国の硬貨である第１の硬貨および第２国の硬貨である第２の硬貨を処理する硬貨処理方法であって、
第１の硬貨の価値および第２の硬貨の価値が等価値となるよう設定を行う工程と、
第１の硬貨および第２の硬貨の識別を行う工程と、
設定された内容に基づいて、識別された第１の硬貨および第２の硬貨の合計の価値を、第１国の通貨単位で算出する工程と、
を備えたことを特徴とする硬貨処理方法である。
【００２０】
第９の発明は、第１国の硬貨である第１の硬貨および第２国の硬貨である第２の硬貨を処理する硬貨処理方法であって、
硬貨処理装置が第２の硬貨を第１の硬貨と等価値の硬貨として処理する工程を備えたことを特徴とする硬貨処理方法である。
【００２１】
第１０の発明は、第１国の硬貨である第１の硬貨および第２国の硬貨である第２の硬貨を処理する硬貨処理装置と、
前記硬貨処理装置とは別に設けられ、当該硬貨処理装置に通信接続された上位装置と、
を備えた硬貨処理システムであって、
前記硬貨処理装置は、第１の硬貨および第２の硬貨の識別を行う識別部を有し、前記識別部により得られる第１の硬貨および第２の硬貨の各識別結果を区別して前記上位装置に送るようになっており、
前記上位装置は、第１の硬貨の価値および第２の硬貨の価値を等価値として処理することを特徴とする硬貨処理システムである。
【発明の効果】
【００２２】
本発明の硬貨処理装置、硬貨処理方法および硬貨処理システムによれば、第１国の硬貨である第１の硬貨および第２国の硬貨である第２の硬貨が同じ価値を持つものとして流通している場合でも、円滑な取引を行うことができる。
【図面の簡単な説明】
【００２３】
【図１】本発明による硬貨入出金機の外観を示す斜視図である。
【図２】図１に示す硬貨入出金機の内部構成を示す平面図である。
【図３】図１および図２に示す硬貨入出金機の機能ブロック図である。
【図４】図１等に示す硬貨入出金機の識別部により検出される硬貨の特徴量を示す説明図であり、より詳細には、各種硬貨に対する磁気センサの出力信号波形を示すグラフである。
【図５】本発明の硬貨入出金機において硬貨の入金処理を行う際の動作を示すフローチャートである。
【図６】本発明の硬貨入出金機において硬貨の出金処理を行う際の動作を示すフローチャートである。
【図７】本発明の第３の実施の形態による硬貨入出金機の機能ブロック図である。
【発明を実施するための形態】
【００２４】
〔第１の実施の形態〕
以下、図面を参照して本発明の第１の実施の形態について説明する。図１乃至図４は、本実施の形態に係る硬貨入出金機（硬貨処理装置）を示す図である。このうち、図１は、本実施の形態による硬貨入出金機の外観を示す斜視図であり、図２は、図１に示す硬貨入出金機の内部構成を示す平面図である。また、図３は、図１および図２に示す硬貨入出金機の機能ブロック図であり、図４は、図１等に示す硬貨入出金機の識別部により検出される硬貨の特徴量を示す説明図であり、より詳細には、各種硬貨に対する磁気センサの出力信号波形を示すグラフである。図１等に示すような硬貨入出金機１０は、例えば、店舗のレジにおいてＰＯＳレジスタと通信して硬貨の入金や出金を行うようになっている。
【００２５】
図１に示すように、硬貨入出金機１０は、前面を開口した筐体１２と、この筐体１２の前面から引出可能な本体ユニット１４とを備えている。筐体１２から突出する本体ユニット１４の前部上面には、硬貨を投入するための硬貨投入口１６が形成されている。また、筐体１２から突出する本体ユニット１４の前部上面には、操作用や設定用のボタンが設けられた操作部１８、および操作や設定等に関する各種表示をする液晶表示器や金種別の硬貨収納量を表示するＬＥＤ表示器等の表示部２０がそれぞれ設けられている。また、本体ユニット１４の前面の右側下部に出金トレイ２２が設けられており、この出金トレイ２２の上面に、機内から払い出される硬貨が硬貨放出口２４を介して放出される硬貨出金口２６が形成されている。
【００２６】
図２に示すように、硬貨入出金機１０の本体ユニット１４には、硬貨投入口１６に投入された硬貨を一枚ずつ繰り出すための繰出機構３０が設けられている。この繰出機構３０には、硬貨投入口１６の下方に設けられ当該硬貨投入口１６に投入された硬貨を受け入れる受入部３２と、この受入部３２の底面を構成する搬送ベルト３４とが設けられている。搬送ベルト３４は無端状の平ベルトからなり、図２における右側から左側に向けた硬貨繰出方向に硬貨を搬送するようになっている。搬送ベルト３４上での通路幅は、処理されるべき硬貨のうちの最大径硬貨よりも大きく最小径硬貨の二枚分よりも小さい寸法に規制されている。また、搬送ベルト３４の搬送方向における受入部３２の下流側の箇所には逆転ローラ３６が設けられている。この逆転ローラ３６は搬送ベルト３４とわずかな隙間を隔ててこの搬送ベルト３４の上方に設けられており、逆転ローラ３６と搬送ベルト３４との間の隙間の大きさは、硬貨一枚分の通過を許容するような大きさとなっている。この逆転ローラ３６は、搬送ベルト３４の硬貨繰出方向に対して逆方向に回転し、硬貨繰出方向（図２における左方向）へ繰り出されようとする搬送ベルト３４上の硬貨を１層１列状態に整列させるようになっている。
【００２７】
また、硬貨入出金機１０の本体ユニット１４には、搬送ベルト３４から受け渡された硬貨を一枚ずつ搬送する搬送機構４０が設けられている。この搬送機構４０は、複数のプーリ４２に張架された無端状の搬送ベルト４４からなり、この搬送ベルト４４には、硬貨に係合してこの係合された硬貨を搬送する突起部（図示せず）が等間隔で複数設けられている。搬送ベルト３４の硬貨繰出方向における逆転ローラ３６の下流側にはガイド部材３８が設けられており、搬送ベルト３４により繰り出された硬貨はガイド部材３８により搬送機構４０に受け渡されるようになっている。搬送ベルト３４から搬送機構４０に受け渡された硬貨は、識別通路４６、排除通路５０、中間通路５４、分類通路５６を順に通るよう、搬送ベルト４４により搬送される。識別通路４６には識別部４８が設けられており、この識別部４８により硬貨の識別が行われるようになっている。識別部４８の構成の詳細については後述する。また、排除通路５０にはリジェクト部５２が設けられており、識別部４８での識別の結果、リジェクト硬貨と識別されたリジェクト硬貨がこのリジェクト部５２により排除されるようになっている。リジェクト部５２により排除された硬貨は、後述する搬送ベルト７２により搬送され、硬貨放出口２４を介して硬貨出金口２６に返却されるようになっている。
【００２８】
また、硬貨入出金機１０の本体ユニット１４には、硬貨を金種別に収納するとともに収納された硬貨を繰り出す収納機構６０が複数設けられている。そして、分類通路５６には、搬送ベルト４４により搬送される硬貨を金種別に分類して各収納機構６０に収納させる複数の分類部５８が設けられている。図２に示すように、各分類部５８は各収納機構６０に対応して設けられている。各分類部５８には、分類通路５６から硬貨が落下する分類孔５８ａが形成されており、搬送方向最下流側の分類孔５８ａを除く各分類孔５８ａには分類ゲート５８ｂが設けられている。各分類ゲート５８ｂは対応する分類孔５８ａを選択的に開くようになっており、分類ゲート５８ｂが分類孔５８ａを開いたときに、搬送ベルト４４により搬送される硬貨がこの分類孔５８ａから落下して収納機構６０に収納されるようになっている。分類通路５６において各分類部５８の搬送方向上流側には、分類ゲート５８ｂの開閉タイミングを取ったり各収納機構６０への硬貨の分類を確認したりするために、搬送ベルト４４により搬送される硬貨を検出する硬貨検出センサ５８ｃがそれぞれ設けられている。
【００２９】
また、硬貨入出金機１０の本体ユニット１４には、各収納機構６０から繰り出された硬貨を搬送する搬送機構７０が設けられている。この搬送機構７０は搬送ベルト７２からなり、この搬送ベルト７２により各収納機構６０から繰り出された硬貨が一枚ずつ図２における下方向に搬送されて硬貨放出口２４を介して硬貨出金口２６に送られるようになっている。
【００３０】
また、硬貨入出金機１０の筐体１２内には、当該硬貨入出金機１０の各構成要素の制御を行う制御部８０が設けられている。制御部８０の構成について図３を用いて説明する。図３に示すように、制御部８０は、繰出機構３０、搬送機構４０、識別部４８、リジェクト部５２、各分類部５８、各収納機構６０、搬送機構７０、操作部１８、表示部２０等にそれぞれ接続されている。そして、識別部４８による硬貨の識別結果が制御部８０に送られるようになっており、また、制御部８０から繰出機構３０、搬送機構４０、リジェクト部５２、各分類部５８、各収納機構６０、搬送機構７０にそれぞれ指令を送ることによりこれらの構成要素の制御を行うようになっている。また、操作部１８によって操作者により入力された情報は制御部８０に送られるようになっており、また、制御部８０から表示部２０に情報を送ることによりこの表示部２０で様々な表示を行わせるようになっている。
【００３１】
また、図３に示すように、制御部８０には記憶部８２が接続されており、この記憶部８２は硬貨入出金機１０の様々な設定情報や、各収納機構６０に収納された硬貨の金種毎の枚数等の収納情報が記憶されるようになっている。また、制御部８０にはインターフェース８４が接続されており、このインターフェース８４を介して制御部８０はＰＯＳ端末等の上位装置８５と情報の送受信を行うことができるようになっている。なお、本実施の形態では、硬貨入出金機１０および上位装置８５により硬貨処理システムが構成されている。
【００３２】
また、本実施の形態の硬貨入出金機１０においては、制御部８０は、第１の硬貨（例えば、アメリカドルの硬貨）の価値および第２の硬貨（例えば、カナダドルの硬貨）の価値を等価値として扱う第１の処理モードと、第１の硬貨と第２の硬貨とを区別して扱う第２の処理モードとからなる２つの処理モードのうちいずれか一方の処理モードを実行するようになっている。より具体的には、制御部８０が第１の処理モードを実行する場合には、硬貨入出金機１０で硬貨の処理が行われる際に、アメリカドルの硬貨の価値およびカナダドルの硬貨の価値が等価値としてみなされるようになる。一方、制御部８０が第２の処理モードを実行する場合には、硬貨入出金機１０で硬貨の処理が行われる際に、アメリカドルの硬貨の価値およびカナダドルの硬貨の価値は互いに異なるものとしてみなされるようになる。
【００３３】
また、図３に示すように、制御部８０にはモード切換部８６が接続されている。モード切換部８６は、制御部８０において実行される処理モードを、第１の処理モードおよび第２の処理モードの間で切り換えるようになっている。より詳細には、操作者が操作部１８により制御部８０に対して第１の処理モードおよび第２の処理モードのうちどちらの処理モードで硬貨の処理を行うかという情報を入力すると、モード切換部８６は、操作者によって操作部１８により入力された情報に基づいて、制御部８０において第１の処理モードおよび第２の処理モードのうちどちらの処理モードを実行するかについて処理モードの切り換えを行うようになる。
【００３４】
次に、本実施の形態の硬貨入出金機１０における識別部４８の詳細について説明する。本実施の形態の識別部４８は、例えば磁気センサや画像センサ、径センサ等から構成されており、硬貨の識別を行った際に識別された硬貨の特徴量を検知するようになっている。例えば、識別部４８が磁気センサである場合には、所定周波数の正弦波を一次コイルに印加し、硬貨を通過させると、硬貨の種類の応じた出力を二次コイルから得ることができる。二次コイルの出力を整流して平滑化し直流信号に変換すると、図４に示すように時間ごとの出力波形を得ることができる。出力波形の高さ（出力）や長さ（幅）等がそれぞれの硬貨の特徴量となり、硬貨が識別される。識別部４８が画像センサの場合は、各金種別に用意されたテンプレート画像と、硬貨の画像との類似路が特徴量となる。
【００３５】
識別部４８が磁気センサである場合には、図４に示すように、識別部４８が例えば１セント硬貨を識別したときに、アメリカドルの１セント硬貨を識別部４８が識別したときに検知される硬貨の特徴量（図４において（ａ）で示されるグラフ参照）と、カナダドルの１セント硬貨を識別部４８が識別したときに検知される硬貨の特徴量（図４において（ｂ）で示されるグラフ参照）とは互いに異なるものとなっている。
【００３６】
そして、制御部８０において第１の処理モードが実行される場合には、識別部４８により硬貨の識別を行う際に、検知された硬貨の特徴量が、アメリカドルの１セント硬貨の特徴量およびカナダドルの１セント硬貨の特徴量を含む特徴量情報と一致するときには、識別された硬貨をアメリカドルの１セント硬貨とみなすようになっている。具体的には、図４において、所定の時間幅Ｍの範囲内で出力が（Ａ）（Ｂ）のどちらかの範囲に含まれている場合には、識別部８０により識別された硬貨をアメリカドルの１セント硬貨とみなす。このようにして、制御部８０において第１の処理モードが実行される場合には、アメリカドルの１セント硬貨が識別部４８により識別された際には、当然のことながら識別された硬貨は当該識別部４８においてアメリカドルの１セント硬貨とみなされるが、カナダドルの１セント硬貨が識別部４８により識別された際にも、識別された硬貨は当該識別部４８においてアメリカドルの１セント硬貨とみなされるようになる。そして、識別部４８から制御部８０に送られる硬貨の識別結果は、どちらの場合でもアメリカドルの１セント硬貨とみなされるようになる。なお、アメリカドルおよびカナダドルにおける他の金種の硬貨についても同様である。
【００３７】
一方、制御部８０において第２の処理モードが実行される場合には、識別部４８により硬貨の識別を行う際に、検知された硬貨の特徴量が、アメリカドルの１セント硬貨の特徴量およびカナダドルの１セント硬貨の特徴量を含む特徴量情報と一致するときでも、識別された硬貨を全てアメリカドルの１セント硬貨とみなすようにはならない。具体的には、図４において、所定の時間幅Ｍの範囲内で出力が（Ａ）の範囲に含まれている場合には、識別部８０により識別された硬貨をアメリカドルの１セント硬貨とみなされ、一方、所定の時間幅Ｍの範囲内で出力が（Ｂ）の範囲に含まれている場合には、識別部８０により識別された硬貨をカナダドルの１セント硬貨とみなされるようになる。このようにして、アメリカドルの１セント硬貨が識別部４８により識別された際には、識別された硬貨はアメリカドルの１セント硬貨とみなされるが、カナダドルの１セント硬貨が識別部４８により識別された際には、識別された硬貨はカナダドルの１セント硬貨とみなされるようになる。なお、アメリカドルおよびカナダドルにおける他の金種の硬貨についても同様である。
【００３８】
次に、本実施の形態の硬貨入出金機１０の動作について図５および図６に示すフローチャートを用いて説明する。図５は、硬貨入出金機１０において硬貨の入金処理を行う際の動作を示すフローチャートであり、図６は、硬貨入出金機１０において硬貨の出金処理を行う際の動作を示すフローチャートである。なお、以下に示す硬貨入出金機１０の動作は、制御部８０が硬貨入出金機１０の各構成要素の制御を行うことにより行われるようになっている。
【００３９】
まず、硬貨入出金機１０における硬貨の入金処理を行う際の動作について図５に示すフローチャートを用いて説明する。
【００４０】
硬貨入出金機１０において、第１の処理モードおよび第２の処理モードのうちどちらの処理モードで硬貨の処理が行われるかが制御部８０において予め設定されている。そして、操作者が制御部８０において行われる処理モードを切り換えたい場合には、操作部１８により制御部８０に対して処理モードを切り換える旨の情報を入力すると、モード切換部８６は制御部８０において行われる処理モードを切り換えるようになる。
【００４１】
硬貨の入金処理を行うにあたり、操作者はまず硬貨投入口１６により硬貨を本体ユニット１４内に投入する。そして、操作者が操作部１８により入金処理開始の指令を制御部８０に与えると、投入された硬貨は繰出機構３０により１枚ずつ繰り出され、搬送機構４０により搬送される（ＳＴＥＰ１）。そして、搬送機構４０により搬送される硬貨は識別部４８により識別され、当該硬貨の特徴量が検出される（ＳＴＥＰ２）。
【００４２】
ここで、制御部８０が第１の処理モードを実行している場合には（ＳＴＥＰ３の「ＹＥＳ」）、アメリカドルの硬貨の価値およびカナダドルの硬貨の価値が等価値として扱われるようになる（ＳＴＥＰ４）。より詳細には、識別部４８により硬貨の識別を行う際に、検知された硬貨の特徴量が、アメリカドルの１セント硬貨の特徴量およびカナダドルの１セント硬貨の特徴量を含む特徴量情報と一致するときには、識別された硬貨をアメリカドルの１セント硬貨とみなすようになる。このことにより、アメリカドルの１セント硬貨が識別部４８により識別された際には、当然のことながら識別された硬貨は当該識別部４８においてアメリカドルの１セント硬貨とみなされるが、カナダドルの１セント硬貨が識別部４８により識別された際にも、識別された硬貨は当該識別部４８においてアメリカドルの１セント硬貨とみなされるようになる。そして、識別部４８から制御部８０に送られる硬貨の識別結果は、どちらの場合でもアメリカドルの１セント硬貨とみなされるようになる。なお、アメリカドルおよびカナダドルにおける他の金種の硬貨についても同様である。
【００４３】
また、アメリカドルの１セント硬貨が識別部４８により識別されたときおよびカナダドルの１セント硬貨が識別部４８により識別されたときの両方の場合において、識別部４８から制御部８０に送られる硬貨の識別結果はアメリカドルの１セント硬貨のものとなっているため、アメリカドルの１セント硬貨およびカナダドルの１セント硬貨は同一の収納機構６０に混合状態で収納されるようになる（ＳＴＥＰ５）。このことは、アメリカドルおよびカナダドルにおける他の金種の硬貨についても同様である。
【００４４】
一方、制御部８０が第１の処理モードを実行していない場合には（ＳＴＥＰ３の「ＮＯ」）、すなわち制御部８０が第２の処理モードを実行している場合には、アメリカドルの硬貨とカナダドルの硬貨とが区別して扱われるようになる（ＳＴＥＰ６）。すなわち、識別部４８により硬貨の識別を行う際に、検知された硬貨の特徴量が、アメリカドルの１セント硬貨の特徴量およびカナダドルの１セント硬貨の特徴量を含む特徴量情報と一致するときでも、識別された硬貨を全てアメリカドルの１セント硬貨とみなすようにはならない。このため、アメリカドルの１セント硬貨が識別部４８により識別された際には、識別された硬貨はアメリカドルの１セント硬貨とみなされるが、カナダドルの１セント硬貨が識別部４８により識別された際には、識別された硬貨はカナダドルの１セント硬貨とみなされるようになる。なお、アメリカドルおよびカナダドルにおける他の金種の硬貨についても同様である。また、制御部８０において第２の処理モードが実行される場合には、同じ金種の硬貨についてアメリカドルの硬貨およびカナダドルの硬貨は異なる収納機構６０に収納されるようになる（ＳＴＥＰ７）。
【００４５】
このようにして、繰出機構３０により硬貨が全て繰り出され、各収納機構６０に硬貨が収納されるまで（ＳＴＥＰ８の「ＮＯ」）、図５のＳＴＥＰ１〜ＳＴＥＰ７に示す動作が繰り返し行われる。そして、繰出機構３０により硬貨が全て繰り出され、各収納機構６０に硬貨が収納されると（ＳＴＥＰ８の「ＹＥＳ」）、硬貨の入金処理が終了する。
【００４６】
次に、硬貨入出金機１０における硬貨の出金処理を行う際の動作について図６に示すフローチャートを用いて説明する。硬貨の出金処理を行うにあたり、制御部８０が第１の処理モードを実行している場合には（ＳＴＥＰ１１の「ＹＥＳ」）、硬貨入出金機１０からアメリカドルの硬貨を出金する際に、カナダドルの硬貨もアメリカドルの硬貨として出金するようになる。より詳細には、同じ金種の硬貨についてアメリカドルの硬貨およびカナダドルの硬貨が混合状態で同一の収納機構６０に収納されている場合には（ＳＴＥＰ１２の「ＹＥＳ」）、制御部８０は、混合状態で硬貨を収納している収納機構６０内の硬貨をアメリカドルの硬貨として出金するようになる（ＳＴＥＰ１３）。より具体的に説明すると、硬貨入出金機１０において硬貨の入金処理を行ったとき、制御部８０が第１の処理モードを実行した場合には、同じ金種の硬貨についてアメリカドルの硬貨およびカナダドルの硬貨が混合状態で同一の収納機構６０に収納されるようになり、硬貨の出金処理を行う際にも、混合状態で硬貨を収納している収納機構６０内の硬貨（アメリカドルの硬貨およびカナダドルの硬貨の両方を含む）がアメリカドルの硬貨として出金されるようになる。
【００４７】
これに対して、同じ金種の硬貨についてアメリカドルの硬貨およびカナダドルの硬貨が異なる収納機構６０に収納されている場合には（ＳＴＥＰ１２の「ＮＯ」）、アメリカドルの硬貨を出金する際に、アメリカドルの硬貨を収納している収納機構６０内の硬貨に加えて、カナダドルの硬貨を収納している収納機構６０内の硬貨も出金される。このときに、カナダドルの硬貨を収納している収納機構６０内の硬貨はアメリカドルの硬貨として出金されるようになる（ＳＴＥＰ１４）。より詳細には、同じ金種の硬貨についてアメリカドルの硬貨およびカナダドルの硬貨が異なる収納機構６０に収納されている場合には、アメリカドルの硬貨を収納する収納機構６０内の硬貨と、カナダドルの硬貨を収納する収納機構６０内の硬貨とを、適当な比率で混合して出金するようになる。具体的には、予め設定された所定の比率や、各収納機構６０における硬貨の収納量に比例した比率、あるいはランダムの比率で、アメリカドルの硬貨とカナダドルの硬貨とが混合して出金される。この場合に、前述したように、カナダドルの硬貨はアメリカドルの硬貨として出金されるようになる。
【００４８】
一方、制御部８０が第１の処理モードを実行していない場合には（ＳＴＥＰ１１の「ＮＯ」）、すなわち制御部８０が第２の処理モードを実行している場合には、制御部８０は、アメリカドルの硬貨およびカナダドルの硬貨を区別して出金する（ＳＴＥＰ１５）。
【００４９】
このようにして、所定の金額の硬貨が各収納機構６０から繰り出されて硬貨出金口２６に送られるまで（ＳＴＥＰ１６の「ＮＯ」）、図６のＳＴＥＰ１１〜ＳＴＥＰ１５に示す動作が繰り返し行われる。そして、所定の金額の硬貨が各収納機構６０から繰り出されて硬貨出金口２６に送られると（ＳＴＥＰ１６の「ＹＥＳ」）、硬貨の出金処理が終了する。
【００５０】
以上のように本実施の形態の硬貨入出金機１０によれば、硬貨の識別を行い識別された硬貨の特徴量を検知する識別部４８が設けられており、この識別部４８は、検知された硬貨の特徴量が、第１の硬貨（例えば、アメリカドルの硬貨）の特徴量および第２の硬貨（例えば、カナダドルの硬貨）の特徴量を含む特徴量情報と一致するときには、識別された硬貨を第１の硬貨とみなすようになっている。このことにより、アメリカドルの硬貨とカナダドルの硬貨とが混在し、両者が同じ価値を持つものとして流通しているときに、硬貨入出金機１０においてアメリカドルの硬貨とカナダドルの硬貨とを厳密に区別することなく、識別部４８により識別されたアメリカドルの硬貨およびカナダドルの硬貨が全てアメリカドルの硬貨とみなされるようになるので、円滑な取引を行うことができるようになる。
【００５１】
より詳細に説明すると、カナダドルの硬貨をアメリカドルの硬貨に置き換える際に、同じ金種の硬貨についてアメリカドルの硬貨の価値がカナダドルの硬貨よりも高い場合には、価値が低い側の国の硬貨が、価値が高い側の国の硬貨に置き換えられることになる。この場合には、店舗側が差額分を損することになるが、アメリカドルの硬貨とカナダドルの硬貨とを厳密に区別することによる管理負担を考慮すると、過剰投資を抑制することができ、差額分の損を大きく上回る利益を店舗側は得ることができる。一方、同じ金種の硬貨についてカナダドルの硬貨の価値がアメリカドルの硬貨よりも高い場合には、価値が高い側の国の硬貨が、価値が低い側の国の硬貨に置き換えられることになる。この場合には、顧客側が差額分を損することになるが、カナダドルの硬貨を顧客が店舗に支払った際にその店舗で利用可能な商品券やポイントで還元する等のサービスと組み合わせることにより、顧客における差額分の損を相殺することができる。
【００５２】
また、本実施の形態の硬貨入出金機１０においては、アメリカドルの硬貨の価値およびカナダドルの硬貨の価値を等価値として扱う第１の処理モードと、アメリカドルの硬貨とカナダドルの硬貨とを区別して扱う第２の処理モードとからなる２つの処理モードのうちいずれか一方の処理モードで硬貨の処理が行われるように、２つの処理モードを切り換え可能なモード切換部８６が設けられている。このことにより、硬貨入出金機１０において、アメリカドルの硬貨とカナダドルの硬貨とを同じ価値を持つものとして扱うか、あるいはアメリカドルの硬貨とカナダドルの硬貨とを厳密に区別するかを容易に設定することができるようになる。
【００５３】
また、本実施の形態の硬貨入出金機１０においては、硬貨入出金機１０に硬貨を収納する際に、アメリカドルの硬貨の価値およびカナダドルの硬貨の価値が等価値となるよう硬貨が受け入れられるようになっており、硬貨入出金機１０からアメリカドルの硬貨を投出する際に、カナダドルの硬貨を少なくとも部分的に収納している収納機構６０から硬貨が投出されるときに投出される硬貨が全てアメリカドルの硬貨とみなされるようになっている。
【００５４】
なお、本実施の形態による硬貨入出金機１０は、上記の態様に限定されることはなく、様々な変更を加えることができる。例えば、硬貨の出金処理を行う際に、同じ金種の硬貨についてアメリカドルの硬貨およびカナダドルの硬貨が同じ収納機構６０に収納されている場合には、ＰＯＳ端末等の上位装置８５が硬貨入出金機１０の制御部８０にインターフェース８４を介して指令を与えることにより、アメリカドルの硬貨を収納する収納機構６０内の硬貨と、カナダドルの硬貨を収納する収納機構６０内の硬貨とを、適当な比率で混合して出金させるようになっていてもよい。この場合にも、カナダドルの硬貨はアメリカドルの硬貨として出金されるようになる。
【００５５】
〔第２の実施の形態〕
以下、本発明の第２の実施の形態について説明する。第２の実施の形態では、識別部４８が第１の硬貨（例えば、アメリカドルの硬貨）および第２の硬貨（例えば、カナダドルの硬貨）をそれぞれ識別した際に識別された硬貨を全て第１の硬貨とみなすのではなく、代わりに、制御部８０が、識別部４８により識別された第１の硬貨および第２の硬貨を、全て第１の硬貨とみなして硬貨の計数を行うようになっている。以下、本発明の第２の実施の形態について説明するが、上述した第１の実施の形態と同一の技術的事項については説明を省略する。
【００５６】
第２の実施の形態の硬貨入出金機１０では、識別部４８により硬貨の識別を行う際に、検知された硬貨の特徴量が、アメリカドルの硬貨の特徴量およびカナダドルの硬貨の特徴量を含む特徴量情報と一致するときでも、識別された硬貨を全てアメリカドルの硬貨とみなすようにはならない。すなわち、アメリカドルの硬貨が識別部４８により識別された際には、識別された硬貨はアメリカドルの硬貨とみなされるが、カナダドルの硬貨が識別部４８により識別された際には、識別された硬貨はカナダドルの硬貨とみなされるようになる。そして、識別部４８による硬貨の識別結果が制御部８０に送られるが、制御部８０は、識別部４８による硬貨の識別結果に基づいて硬貨の計数を行うにあたり、識別部４８により識別されたアメリカドルの硬貨およびカナダドルの硬貨を、全てアメリカドルの硬貨とみなして硬貨の計数を行う。
【００５７】
次に、第２の実施の形態の硬貨入出金機１０における硬貨の入金処理を行う際の動作について図５に示すフローチャートを用いて説明する。なお、第１の実施の形態の硬貨入出金機１０における硬貨の入金処理を行う際の動作と同一の部分についてはその説明を省略する。また、第２の実施の形態の硬貨入出金機１０における硬貨の出金処理を行う際の動作については第１の実施の形態と略同一であるため説明を省略する。
【００５８】
硬貨の入金処理を行うにあたり、操作者はまず硬貨投入口１６により硬貨を本体ユニット１４内に投入する。そして、操作者が操作部１８により入金処理開始の指令を制御部８０に与えると、投入された硬貨は繰出機構３０により１枚ずつ繰り出され、搬送機構４０により搬送される（ＳＴＥＰ１）。そして、搬送機構４０により搬送される硬貨は識別部４８により識別される（ＳＴＥＰ２）。この際に、アメリカドルの硬貨が識別部４８により識別された際には、識別された硬貨はアメリカドルの硬貨とみなされるが、カナダドルの硬貨が識別部４８により識別された際には、識別された硬貨はカナダドルの硬貨とみなされる。
【００５９】
そして、制御部８０が第１の処理モードを実行している場合には（ＳＴＥＰ３の「ＹＥＳ」）、制御部８０は、識別部４８による硬貨の識別結果に基づいて硬貨の計数を行うにあたり、識別部４８により識別されたアメリカドルの硬貨およびカナダドルの硬貨を、全てアメリカドルの硬貨とみなして硬貨の計数を行う。このため、カナダドルの硬貨が識別部４８により識別された際にも、制御部８０においてこのカナダドルの硬貨はアメリカドルの硬貨とみなして硬貨の計数が行われるようになる。
【００６０】
また、アメリカドルの硬貨が識別部４８により識別されたときおよびカナダドルの硬貨が識別部４８により識別されたときの両方の場合において、同じ金種の硬貨についてアメリカドルの硬貨およびカナダドルの硬貨は同一の収納機構６０に混合状態で収納されるようになる（ＳＴＥＰ５）。なお、第２の実施の形態の硬貨入出金機１０ではこのような態様に限定されることはなく、同じ金種の硬貨について、識別部４８によりアメリカドルの硬貨と識別された硬貨と、識別部４８によりカナダドルの硬貨と識別された硬貨とが異なる収納機構６０に収納されるようになっていてもよい。
【００６１】
一方、制御部８０が第１の処理モードを実行していない場合には（ＳＴＥＰ３の「ＮＯ」）、すなわち制御部８０が第２の処理モードを実行している場合には、アメリカドルの硬貨とカナダドルの硬貨とが区別して扱われるようになる（ＳＴＥＰ６）。すなわち、制御部８０は、識別部４８により識別されたアメリカドルの硬貨およびカナダドルの硬貨を区別して硬貨の計数を行う。そして、制御部８０において第２の処理モードが実行される場合には、アメリカドルの硬貨およびカナダドルの硬貨は異なる収納機構６０に収納されるようになる（ＳＴＥＰ７）。
【００６２】
このようにして、繰出機構３０により硬貨が全て繰り出され、各収納機構６０に硬貨が収納されるまで（ＳＴＥＰ８の「ＮＯ」）、図５のＳＴＥＰ１〜ＳＴＥＰ７に示す動作が繰り返し行われる。そして、繰出機構３０により硬貨が全て繰り出され、各収納機構６０に硬貨が収納されると（ＳＴＥＰ８の「ＹＥＳ」）、硬貨の入金処理が終了する。
【００６３】
以上のように第２の実施の形態の硬貨入出金機１０によれば、制御部８０は、識別部４８による識別結果に基づいて硬貨の計数を行う際に、識別部４８により識別された第１の硬貨（例えば、アメリカドルの硬貨）および第２の硬貨（例えば、カナダドルの硬貨）を、全て第１の硬貨とみなして硬貨の計数を行うようになっている。このことにより、アメリカドルの硬貨とカナダドルの硬貨とが混在し、両者が同じ価値を持つものとして流通しているときに、硬貨入出金機１０においてアメリカドルの硬貨とカナダドルの硬貨とを厳密に区別することなく、制御部８０において、識別部４８により識別されたアメリカドルの硬貨およびカナダドルの硬貨を、全てアメリカドルの硬貨とみなして硬貨の計数が行われるようになるので、円滑な取引を行うことができるようになる。
【００６４】
なお、本実施の形態による硬貨入出金機１０は、上記の態様に限定されることはなく、様々な変更を加えることができる。例えば、硬貨入出金機１０の制御部８０ではなく、インターフェース８４により制御部８０と通信接続されたＰＯＳ端末等の上位装置８５が、識別部４８による識別結果に基づいて硬貨の計数を行うようになっていてもよい。また、この場合に、上位装置８５は、識別部４８により識別された第１の硬貨（例えば、アメリカドルの硬貨）および第２の硬貨（例えば、カナダドルの硬貨）を、全て第１の硬貨とみなして硬貨の計数を行うようになっていてもよい。
【００６５】
〔第３の実施の形態〕
以下、本発明の第３の実施の形態について説明する。第３の実施の形態では、第１の実施の形態や第２の実施の形態と異なり、第１の硬貨（例えば、アメリカドルの硬貨）の価値および第２の硬貨（例えば、カナダドルの硬貨）の価値が等価値となるよう設定を行う設定部８８（後述）が設けられており、制御部８０は、識別部４８による識別結果に基づいて硬貨の計数を行う際に、設定部８８による設定内容に基づいて、識別部４８により識別された第１の硬貨および第２の硬貨の合計の価値を、第１国の通貨単位（アメリカドル）で算出するようになっている。以下、本発明の第３の実施の形態について説明するが、上述した第１の実施の形態や第２の実施の形態と同一の技術的事項については説明を省略する。
【００６６】
図７に示すように、制御部８０には設定部８８が接続されており、設定部８８は、アメリカドルの硬貨およびカナダドルの硬貨が等価値となるよう設定を行うようになっている。
【００６７】
第３の実施の形態の硬貨入出金機１０では、識別部４８により硬貨の識別を行う際に、検知された硬貨の特徴量が、アメリカドルの硬貨の特徴量およびカナダドルの硬貨の特徴量を含む特徴量情報と一致するときでも、識別された硬貨を全てアメリカドルの硬貨とみなすようにはならない。すなわち、アメリカドルの硬貨が識別部４８により識別された際には、識別された硬貨はアメリカドルの硬貨とみなされるが、カナダドルの硬貨が識別部４８により識別された際には、識別された硬貨はカナダドルの硬貨とみなされるようになる。そして、識別部４８による硬貨の識別結果が制御部８０に送られるが、制御部８０は、識別部４８による硬貨の識別結果に基づいて硬貨の計数を行うにあたり、識別部４８により識別されたアメリカドルの硬貨およびカナダドルの硬貨を区別して硬貨の計数を行う。
【００６８】
そして、第３の実施の形態の硬貨入出金機１０では、制御部８０は、硬貨入出金機１０に入金された硬貨の合計金額を算出する際には、アメリカドルの硬貨およびカナダドルの硬貨の合計金額を、アメリカドルの通貨単位で算出する。この際に、アメリカドルの硬貨の価値およびカナダドルの硬貨の価値は等価のものとして扱われる。具体的に説明すると、硬貨入出金機１０に、アメリカドルの１セント硬貨が１００枚、カナダドルの１セント硬貨が５０枚入金されたときに、制御部８０において、入金された硬貨の計数を行う際には計数結果はアメリカドルの１セント硬貨が１００枚、カナダドルの１セント硬貨が５０枚となるが、合計金額はアメリカドルが１５０セントであると制御部８０において判断されるようになる。
【００６９】
第３の実施の形態の硬貨入出金機１０における硬貨の入金処理や出金処理を行う際の動作については第２の実施の形態と略同一であるためその説明を省略する。
【００７０】
以上のように第３の実施の形態の硬貨入出金機１０によれば、第１の硬貨（例えば、アメリカドルの硬貨）の価値および第２の硬貨（例えば、カナダドルの硬貨）の価値が等価値となるよう設定を行う設定部８８が設けられており、制御部８０は、識別部４８による識別結果に基づいて硬貨の計数を行う際に、設定部８８による設定内容に基づいて、識別部４８により識別された第１の硬貨および第２の硬貨の合計の価値を、第１国の通貨単位で算出するようになっている。このことにより、アメリカドルの硬貨とカナダドルの硬貨とが混在し、両者が同じ価値を持つものとして流通しているときに、硬貨入出金機１０においてアメリカドルの硬貨とカナダドルの硬貨とを厳密に区別することなく、制御部８０において、識別部４８により識別されたアメリカドルの硬貨およびカナダドルの硬貨を、全てアメリカドルの硬貨とみなして入金硬貨の合計金額の算出が行われるようになるので、円滑な取引を行うことができるようになる。
【００７１】
なお、本実施の形態による硬貨入出金機１０は、上記の態様に限定されることはなく、様々な変更を加えることができる。例えば、硬貨入出金機１０の制御部８０ではなく、インターフェース８４により制御部８０と通信接続されたＰＯＳ端末等の上位装置８５が、設定部８８による設定内容に基づいて、識別部４８により識別されたアメリカドルの硬貨およびカナダドルの硬貨の合計の価値を、アメリカドルの通貨単位で算出するようになっていてもよい。この場合には、上位装置８５において、識別部４８により識別されたアメリカドルの硬貨およびカナダドルの硬貨を、全てアメリカドルの硬貨とみなして入金硬貨の合計金額の算出が行われるようになるので、円滑な取引を行うことができるようになる。
【００７２】
また、第１の硬貨（例えば、アメリカドルの硬貨）の価値および第２の硬貨（例えば、カナダドルの硬貨）の価値が等価値となるよう設定を行う設定部が、硬貨入出金機１０ではなく上位装置８５に設けられていてもよい。この場合には、硬貨入出金機１０は、識別部４８により得られる第１の硬貨および第２の硬貨の各識別結果を区別して上位装置８５に送るようになる。また、上位装置８５は、当該上位装置に設けられた設定部による設定内容に基づいて、硬貨入出金機１０の識別部４８により識別された第１の硬貨および第２の硬貨の合計の価値を、第１国の通貨単位で算出するようになる。すなわち、上位装置８５は、第１の硬貨の価値および第２の硬貨の価値を等価値として処理する。
【００７３】
〔変形例〕
本発明による硬貨処理装置は、上述した第１〜第３の実施の形態に示すような硬貨入出金機に限定されることはない。本発明による硬貨処理装置として、硬貨の入金処理のみを行う硬貨入金機や、硬貨の出金処理のみを行う硬貨出金機が用いられてもよい。
【００７４】
本発明による硬貨処理装置として硬貨出金機が用いられる場合には、当該硬貨出金機から第１の硬貨（例えば、アメリカドルの硬貨）を投出する際に、第２の硬貨（カナダドルの硬貨）を第１の硬貨として投出するようになっている。より具体的には、同じ金種の硬貨についてアメリカドルの硬貨およびカナダドルの硬貨が同一の収納部に混合状態で収納されている場合には、アメリカドルの硬貨を出金する際に、この収納部内の硬貨（すなわち、アメリカドルの硬貨およびカナダドルの硬貨の両方）を全てアメリカドルの硬貨として出金するようになる。
【００７５】
また、同じ金種の硬貨についてアメリカドルの硬貨およびカナダドルの硬貨が異なる収納部に収納されている場合には、アメリカドルの硬貨を出金する際に、アメリカドルの硬貨を収納している収納部内の硬貨に加えて、同じ金種のカナダドルの硬貨を収納している収納部内の硬貨も出金される。このときに、カナダドルの硬貨はアメリカドルの硬貨として出金されるようになる。より詳細には、アメリカドルの硬貨およびカナダドルの硬貨が異なる収納部に収納されている場合には、アメリカドルの硬貨を収納する収納部内の硬貨と、カナダドルの硬貨を収納する収納部内の硬貨とを、適当な比率で混合して出金するようになる。具体的には、予め設定された所定の比率や、各収納部における硬貨の収納量に比例した比率、あるいはランダムの比率で、アメリカドルの硬貨とカナダドルの硬貨とが混合して出金される。
【符号の説明】
【００７６】
１０  硬貨入出金機
１２  筐体
１４  本体ユニット
１６  硬貨投入口
１８  操作部
２０  表示部
２２  出金トレイ
２４  硬貨放出口
２６  硬貨出金口
３０  繰出機構
３２  受入部
３４  搬送ベルト
３６  逆転ローラ
３８  ガイド部材
４０  搬送機構
４２  プーリ
４４  搬送ベルト
４６  識別通路
４８  識別部
５０  排除通路
５２  リジェクト部
５４  中間通路
５６  分類通路
５８  分類部
５８ａ  分類孔
５８ｂ  分類ゲート
５８ｃ  硬貨検出センサ
６０  収納機構
７０  搬送機構
７２  搬送ベルト
８０  制御部
８２  記憶部
８４  インターフェース
８５  上位装置
８６  モード切換部
８８  設定部
【図１】
2013003844.tif 000003
【図２】
2013003844.tif 000004
【図３】
2013003844.tif 000005
【図４】
2013003844.tif 000006
【図５】
2013003844.tif 000007
【図６】
2013003844.tif 000008
【図７】
2013003844.tif 000009